(57)【要約】      （修正有）【課題】収納・移送・保管時にはトレイに確実な保持固定が可能なペリクル構造体と、フォトマスク等に貼り付ける際には簡単に歪みやたわみを発生させることなくペリクルを収納容器から取り出す方法を提供する。【解決手段】ペリクル膜３が面積１００００ｃｍ２以上の大型ペリクル構造体であって、枠体１が矩形の形状を有し、保護フィルム５が該枠体より外側に突出した第一の押さえ代を有しており、該第一の押さえ代は該枠体の一頂点を含む二辺上に位置するとともに該枠体の形状に沿ったＬ字形状を有していることを特徴とする大型ペリクル構造体を、トレイ６と蓋７とからなる大型ペリクル収納構造体であって、少なくとも前記第一の押さえ代のそれぞれ２辺に沿って粘着テープ９でトレイに固定されている大型ペリクル収納構造体から、前記保護フィルムをトレイに固定したまま粘着材層と保護フィルムとの界面で剥離させる工程を含む。【選択図】図１
2014167627.tif 000002
【特許請求の範囲】
【請求項１】
枠体と、該枠体の上縁面に接着されたペリクル膜と、該枠体の下縁面に塗着された粘着材からなる粘着材層と、該粘着材層に粘着された保護フィルムからなり、該ペリクル膜が面積１００００ｃｍ２以上の大型ペリクル構造体であって、枠体が矩形の形状を有し、保護フィルムが該枠体より外側に突出した第一の押さえ代を有しており、該第一の押さえ代は該枠体の一頂点を含む二辺上に位置するとともに該枠体の形状に沿ったＬ字形状を有していることを特徴とする大型ペリクル構造体を、
トレイと蓋とからなるペリクル収納容器に収納した大型ペリクル収納構造体であって、少なくとも前記第一のＬ字形状を有する押さえ代のそれぞれ２辺に沿って粘着テープでトレイに固定されている大型ペリクル収納構造体から、
前記保護フィルムをトレイに固定したまま粘着材層と保護フィルムとの界面で剥離させる工程を含む、
収納容器からの大型ペリクルの取出し方法。
【請求項２】
第一の押さえ代が有するＬ字形状の最も長い辺が２０ｍｍ以上であり、枠体の辺に対して垂直または鈍角に突出していることを特徴とする請求項１に記載の方法。
【請求項３】
保護フィルムが、枠体より外側に突出した第二の押さえ代を有しており、該第二の押さえ代は該枠体の頂点を含まない一辺上に位置するとともに該枠体の形状に沿った矩形状を有していることを特徴とする請求項１または２のいずれか１項に記載の方法。
【請求項４】
第一の押さえ代が枠体の四隅のそれぞれに存在すると共に、第二の押さえ代が枠体の４辺のそれぞれに１つ以上ずつ存在することを特徴とする請求項３に記載の方法。
【請求項５】
第二の押さえ代が枠体の４辺の中央部には存在しないことを特徴とする請求項３または４のいずれか１項に記載の方法。
【請求項６】
第一の押さえ代と第二の押さえ代の両方がトレイに固定されていることを特徴とする請求項１〜５のいずれかに記載の方法。
【発明の詳細な説明】
【技術分野】
【０００１】
本発明は、ＬＳＩ、液晶ディスプレイ（ＬＣＤ）を構成する薄膜トランジスタ（ＴＦＴ）やカラーフィルター（ＣＦ）等を製造する際のリソグラフィー工程で使用されるフォトマスクやレティクルに異物が付着することを防止するために用いられる大型ペリクルの収納容器からの取出し方法に関する。
【背景技術】
【０００２】
本発明はペリクル構造体及びその収納構造体に関する技術であるが、先ず、収納すべきペリクルについて説明する。
従来、半導体回路パターン等の製造に於いては、一般にペリクルと呼ばれる防塵手段を用いて、フォトマスクやレティクルへの異物の付着を防止することが行われている。ペリクルはフォトマスク或いはレティクルの形状に合わせた形状を有する厚さ数ミリ程度の枠体の上縁面に、厚さ１０μｍ以下のニトロセルロース或いはセルロース誘導体或いはフッ素ポリマーなどの透明な高分子膜（以下、「ペリクル膜」という）を展張して接着し、かつ該枠体の下縁面に粘着材を塗着したものであり、ペリクル構造体とは該ペリクルの粘着材からなる粘着材層上に所定の接着力で保護フィルムを粘着させたものである。
前記粘着材は、ペリクルをフォトマスク或いはレティクルに固着するためのものであり、また、保護フィルムは該粘着材がその用に供するまで該粘着材の接着力を維持するために、粘着材層の表面を保護するものである。
一般的には、ペリクルを製造するメーカーと最終的にペリクルをマスク等に貼付するマスク等のメーカー（以下「マスク製造者」ともいう。）とが地理的に離れている場合が多く、ペリクルメーカーからマスク製造者への運搬作業が必須となっている。その為、ペリクル構造体の運搬作業では、ペリクル膜等に異物が付着するのを防ぎ、或いは該ペリクル構造体が損傷するのを防ぐために、該ペリクル構造体をトレイと蓋とからなる収納容器に収納したペリクル収納構造体とし、更に防塵袋等に収納して梱包し、運搬するのが一般的である。
以上のような収納容器は、ペリクル構造体に塵埃を付着させないための密封性と、ペリクル膜に非接触な状態で確実に保持しうる保持性とが要求されることはもちろん、当然に、収納容器内でペリクル構造体が確実に固定されていることが要求される。
【０００３】
このような要求に対して、トレイと蓋とからなる収納容器の該トレイの中央部に、大型ペリクルの枠体に接着し、かつ、枠体の四隅を除く外周縁の一部又は枠体の外周縁の全部を外側に突出させて押さえ代とした保護フィルムの該押さえ代を、該トレイに大型ペリクル構造体を搭載した際に、粘着テープを用いて該押さえ代を該トレイに粘着することによって、該大型ペリクル構造体を該トレイの中央部に保持固定した後、蓋をかぶせた大型ペリクル収納構造体とすることが提案されている（例えば、特許文献１を参照。）。
特に、近年は、マスク製造者においては、大型ペリクル構造体を収納容器から取り出す方法に替えて、収納容器から取り出したら直接マスクに取り付けられるよう、保護フィルムをトレイに貼着させた状態で、該保護フィルムと粘着材層の界面から剥離させることによって該大型ペリクルを収納容器から取り出す方法が採用されており、取り出しの際に該大型ペリクルに歪み撓みを生じさせることなく取り出す方法が要求されている（例えば、特許文献２を参照。）。
【先行技術文献】
【特許文献】
【０００４】
【特許文献１】国際公開第２００６／５９３８８号パンフレット
【特許文献２】特開２００７‐０１７８１１号公報
【発明の概要】
【発明が解決しようとする課題】
【０００５】
特許文献１の方法は、大型ペリクルをトレイに搭載した際にペリクルを安定して確実にトレイに保持固定できる点では出願時の技術水準に対して優れた技術といえる。しかし、今後、大型ペリクルが普及するにつれて表面化すると考えられる課題、すなわちマスク製造者が大型ペリクルを収納容器から取り出す際の取り出し易さについては改善する余地がある。
ペリクル収納構造体からのペリクルの取り出し方法については、例えば、矩形の枠体の辺の中央部近傍に配置された保護フィルムに相当するタブ（押さえ代）を接着テープでペリクル収納容器に固定したペリクル構造体をペリクル保持具によって保持しながら、かつ、該ペリクル保持具にかかる荷重を検出しながら該ペリクル保持具と収納容器との距離を離してペリクルを剥離させる方法も提案されている（例えば特許文献２）。しかし、この方法では、大型ペリクルの場合、辺の中央部に配置されたタブ（押さえ代）が接着テープで収納容器に保持されているため、たとえ、荷重を検出しながら剥離させたとしても、枠体のたわみを避けることができないと考えられる（特許文献２の図９を参照。）。
また、大型ペリクルにおいては、ペリクルの大きさの増加に対して、剛性が充分得られる程度にまでは枠体の幅や厚みを大きく出来ない為、枠体のたわみ量は大きくなる傾向にある。即ち、大型ペリクル構造体の収納・運搬・保管に際しては、トレイへの確実な保持固定に加えて、その後の収納容器からのペリクルの取り出しに際し、枠体にたわみやねじれを生じさせることなく、取り出すことができる方法が要求されているのである。そして、特に、面積１００００ｃｍ２以上の大型ペリクルにおいては、大型ペリクル自体の重さが大きくなり、ハンドリングも困難となるため、収納・運搬・保管に際しては、確実な保持固定はもちろん、収納容器からの取り出しの際、取り出し後直接マスク等に貼り付けられるよう、保護フィルムと粘着材の界面から該大型ペリクルの歪み撓みを生じさせることなく取り出す方法が要求されている。
しかしながら、本発明者らが検討した結果、上述した大型ペリクル構造体をトレイに粘着テープで貼り付けた保護フィルムから剥離させて取り出すときに、保護フィルムの四隅の押さえ代の形状によっては該保護フィルムが粘着テープによる固定からはずれてしまうことが判明した。
即ち、本発明は、収納・移送・保管時にはトレイに確実な保持固定が可能であり、かつ、フォトマスク等に貼り付ける際には簡単に歪みやたわみを発生させることなく収納容器から大型ペリクルを取り出すことを可能とせしめる大型ペリクル構造体を提供するものである。また、該大型ペリクル構造体を収納容器に固定した大型ペリクルの収納構造体を提供する。
【課題を解決するための手段】
【０００６】
本発明者らは、前記課題を解決するために鋭意検討した結果、収納容器に大型ペリクル構造体を保持固定するために利用する保護フィルムの第一の押さえ代の位置と形状を特定することで、前記課題を解決せしめた。すなわち、本発明は、以下の収納容器からの大型ペリクルの取出し方法である。
１．枠体と、該枠体の上縁面に接着されたペリクル膜と、該枠体の下縁面に塗着された粘着材からなる粘着材層と、該粘着材層に粘着された保護フィルムからなり、該ペリクル膜が面積１００００ｃｍ２以上の大型ペリクル構造体であって、枠体が矩形の形状を有し、保護フィルムが該枠体より外側に突出した第一の押さえ代を有しており、該第一の押さえ代は該枠体の一頂点を含む二辺上に位置するとともに該枠体の形状に沿ったＬ字形状を有していることを特徴とする大型ペリクル構造体を、
トレイと蓋とからなるペリクル収納容器に収納した大型ペリクル収納構造体であって、少なくとも前記第一のＬ字形状を有する押さえ代のそれぞれ２辺に沿って粘着テープでトレイに固定されている大型ペリクル収納構造体から、
前記保護フィルムをトレイに固定したまま粘着材層と保護フィルムとの界面で剥離させる工程を含む、
収納容器からの大型ペリクルの取出し方法。
２．第一の押さえ代が有するＬ字形状の最も長い辺が２０ｍｍ以上であり、枠体の辺に対して垂直または鈍角に突出していることを特徴とする上記１に記載の方法。
３．保護フィルムが、枠体より外側に突出した第二の押さえ代を有しており、該第二の押さえ代は該枠体の頂点を含まない一辺上に位置するとともに該枠体の形状に沿った矩形状を有していることを特徴とする上記１または２のいずれかに記載の方法。
４．第一の押さえ代が枠体の四隅のそれぞれに存在すると共に、第二の押さえ代が枠体の４辺のそれぞれに１つ以上ずつ存在することを特徴とする上記３に記載の方法。
５．第二の押さえ代が枠体の４辺の中央部には存在しないことを特徴とする上記３または４に記載の方法。
６．第一の押さえ代と第二の押さえ代の両方がトレイに固定されていることを特徴とする上記１〜５のいずれかに記載の方法。
【発明の効果】
【０００７】
本発明の収納容器からの大型ペリクルの取出し方法によって、収納・移送・保管時には収納容器を構成するトレイに大型ペリクルの確実な保持固定が可能である。また、本発明の大型ペリクル収納構造体によって、ペリクルをフォトマスク等に貼り付ける際には簡単に、かつ、大型ペリクルに歪み撓みを生じさせることなく収納容器から取り出すことが可能となった。
【図面の簡単な説明】
【０００８】
【図１】大型ペリクルが収納容器に収納された状態の縦断面説明図である。
【図２−１】図１の大型ペリクルが収納容器に収納された状態の要部の拡大説明図であり、（ａ）は押さえ代を設けた箇所での縦断面拡大図、（ｂ）は第二の押さえ代を設けた箇所での拡大平面図である。
【図２−２】図１の大型ペリクルが収納容器に収納された状態の要部の拡大説明図であり、（ｃ）（ｄ）は第一の押さえ代を設けた箇所の拡大平面図である。（ｅ）は第二の押さえ代の始点（Ｘ）終点（Ｙ）と四隅の頂点（Ｃ）辺の中央部（Ｚ）との関係を示す図である。
【図３】本実施形態に係る保護フィルムの形態例を示す平面図である。
【図４】本実施形態に係る保護フィルムの形態例を示す平面図である。
【図５】本実施形態に係る保護フィルムの形態例を示す平面図である。
【図６】本実施形態に係る保護フィルムの形態例を示す平面図である。
【図７】本実施形態に含まれない保護フィルムの形態例を示す平面図である。
【図８】引張り試験器による引き抜き強度測定の説明図である。
【発明を実施するための形態】
【０００９】
添付の図面を参照して本発明の実施の形態を説明する。以下に説明する実施の形態は本発明の構成の例であり、本発明は、以下の実施の形態に制限されるものではない。
図１は本発明に係る大型ペリクル構造体を収納容器に固定した大型ペリクル収納構造体が表されており、実際に大型ペリクルが収納容器に収納された状態の縦断面説明図である。図２は、図１の大型ペリクル構造体が収納されている要部の拡大説明図である。図３〜図７は、図１の大型ペリクルに用いられる本発明に係る保護フィルムの形態例を示す平面図である。
図１及び図２において、大型ペリクルＡは、ペリクル膜３の面積が１００００ｃｍ２以上の大型ペリクルである。本発明は、ペリクル膜３の面積が大きければ大きいほど顕著な効果があらわれ、特に１５０００ｃｍ２以上であるとより顕著な効果が現れる。
大型ペリクルＡは、枠体１と、枠体１の上縁面に接着されたペリクル膜３と、枠体１の下縁面に塗着された粘着材層４とからなる。ここでペリクル膜３は枠体１の上縁面に接着剤層２を介して接着されている。大型ペリクル構造体とは、大型ペリクルＡの枠体１の下縁面に、粘着材層４を介して保護フィルム５が粘着された構造体のことを意味する。なお、ペリクル膜３の面積は、枠体１の外形面積に相当する。
ここでいう粘着材としては、公知のものを用いることが可能である。一般的には、粘着材として、スチレンエチレンブチレンスチレン系、スチレンエチレンプロピレンスチレン系、もしくはオレフィン系等のホットメルト粘着材、シリコーン系粘着材、アクリル系粘着材、または発泡フィルム等の基材からなる両面粘着テープを用いることが可能である。ホットメルト粘着材に関しては、通常のシリンジ等を用いる押出し塗布によって枠体１に配置することができる。さらに、押出し塗布後、熱、圧力をかけながら平面板のような成型盤でプレス等を行っても良い。
本発明では、保護フィルム５は、枠体１より外側に突出させた、該枠体の一頂点を含む二辺上に位置するとともに該枠体の形状に沿ったＬ字形状を有していることを特徴とする第一の押さえ代５ｂを有する。また、該第一の押さえ代に加えて、枠体１より外側に突出させた、該枠体の頂点を含まない一辺上に位置するとともに該枠体の形状に沿った矩形状を有していることを特徴とする第二の押さえ代５ａを有することがより好ましい。
該押さえ代は、大型ペリクル構造体をトレイ６に固定するのに使用される。固定方法としては、例えば、押さえ代とトレイに孔をあけてネジ止めにより固定する方法、トレイと押さえ代の間を両面粘着テープで固定する方法、または図１及び図２に記載のように押さえ代の上から粘着テープ９でトレイに固定する方法が考えられるが、押さえ代の上から粘着テープ９でトレイに固定する方法が最も容易であり好ましい。
大型ペリクル構造体には、前述したように収納・移送・保管に際し、収納容器Ｂに確実に保持固定されており、かつ、収納容器から大型ペリクルＡを取り出す時に大型ペリクルＡに変形・歪が生じることなく取り出しやすいことが要求される。これらの点を満足するには、保護フィルム５の枠体１より外側に突出させた押さえ代５ａ、５ｂを利用して粘着テープ９を介して収納容器Ｂのトレイ６上に固定した時の第一の押さえ代５ｂがL字形状を有していることにより取り出し時の保護フィルムの脱落が防止される。そしてこのような条件を満足する大型ペリクル構造体は、これまで本発明者らが試行した収納・移送・保管の工程においてペリクルが脱落することがなく、自動取り出し機による大型ペリクルＡの取り出しの際に保護フィルムが粘着テープによるトレイへの固定から外れることなく容易に取り出すことが達成できた。
特に第一の押さえ代５ｂが有するＬ字形状の最も長い辺が２０ｍｍ以上であり、かつ該矩形の辺に対して垂直（図３（ａ）、３（ｃ）等）または鈍角（図３（ｂ）等）に突出していると粘着テープで固定された保護フィルムがずれたり固定から外れることが少なく、より効果的に大型ペリクルＡを取り出すことが可能となる。第一の押さえ代５ｂが有するＬ字形状の最も長い辺の長さが２０ｍｍ未満であったり、該矩形の辺に対して鋭角に突出していたりする場合は、大型ペリクルＡを取り出す際に保護フィルムにかかる荷重により粘着テープによる固定からずれたり外れたりするために効率的に取り出すことが出来なかったり、自動取り出し機による大型ペリクルＡの取り出し自体が出来なくなってしまう場合もある。なお、第一の押さえ代５ｂが有するＬ字形状の最も長い辺の長さとは、該Ｌ字形状部分を６辺形とみなした時の最も長い辺の長さのことをいい、図２（ｃ）及び図２（ｄ）のＬで表される長さをいう。
【００１０】
本発明は、ペリクルの枠体１の形状（例えば、矩形以外に円、楕円、多角形といったマスク等の形状に対応した様々な形状）、材質に影響されることなく、品質の安定したペリクルをマスク製造者に供給せしめることを可能にする点において特徴を有するものである。そして、収納する収納容器Ｂの形態に適応させて、枠体１の特定の箇所に保護フィルム５に特定の形状を有する押さえ代を突出させることも可能である。
上記のように、大型ペリクル構造体の保護フィルム５の形状はマスク等の様々な形状、収納容器の様々な態様に対応することは可能であるが、本発明では、矩形の枠体を用いた場合、以下に説明する条件を満足すると、より効果を奏するので、以下に説明する。
本発明では、大型ペリクル構造体の枠体１に矩形の枠体を用いた場合、押さえ代５ｂが、該枠体の形状に沿ったＬ字形状を有することによって、保持固定に関して効果を奏する。
【００１１】
ここで上記効果の差異について、説明の便宜上、本実施形態に含まれない保護フィルムの形態例を示して説明する。図７は、本実施形態に含まれない保護フィルムの形態例を示す平面図であり、図７（ａ）は、第一の押さえ代５ｂが枠体の形状に沿ったＬ字形状を有していず、単に枠体の矩形の辺に対して鋭角に突出している形態例である。
図７（ａ）に示すように、矩形の四隅にある第一の押さえ代５ｂが枠体の形状に沿ったＬ字形状をしていずに矩形の辺に対して鋭角に突出していると、該第一の押さえ代でトレイに固定した大型ペリクルＡを取り出す際に、保護フィルムのトレイに固定されている面積が少なくかつ枠体の四隅に集中的にかかる荷重の方向に対して引っかかりが無くなるために、該保護フィルムがトレイ固定からずれたり外れて大型ペリクルＡに粘着したまま取り出されたりしやすくなる。
一方、図３〜６に示すように、第一の押さえ代５ｂが枠体の形状に沿ったＬ字形状を有する場合は、四隅において保護フィルムをトレイに固定する面積を大きくできるため、大型ペリクル収納構造体より大型ペリクルＡを取り出す時に枠体の四隅にかかる荷重に耐えることが可能になる。さらに、第一の押さえ代が、枠体の辺に対して直角または鈍角に突出している場合、大型ペリクルＡ取り出し時に枠体の四隅に集中的にかかる荷重方向に対して該第一の押さえ代のエッジが引っかかるためにトレイ固定からずれたり外れたりすることが少なくなる。更に、第一の押さえ代の矩形頂点からの長さが長いほどトレイに固定できる第一の押さえ代の面積が大きくなるために効果的である。しかしながら、第一の押さえ代の長さが極端に長すぎる場合や第二の押さえ代と一体化してしまうと自動取り出し機による大型ペリクルＡ取り出しの際に保護フィルムのうねりが無くなるために荷重を緩衝することが出来なくなり、剥離荷重に達した瞬間に一気に大型ペリクルＡが外れてしまうために大型ペリクルＡに大きな衝撃が加わり膜当たりや発塵が生じることがある。従って、第一の押さえ代の長さは２０ｍｍ以上６０ｍｍ以下であることがより好ましい。
以上のことから、本発明の大型ペリクル構造体では、矩形の枠体１を用いた場合には十分な大型ペリクル構造体の保持・固定を達成するには、第二の押さえ代５ａは、四辺中少なくとも一辺に配置されている押さえ代が、矩形を構成する四隅の頂点Ｃから３０ｍｍ以上７０ｍｍ以内の位置を始点Ｘとして配置されていることが好ましい。さらに四隅の頂点Ｃから、いずれの辺においても３０ｍｍ以上７０ｍｍ以下の位置が始点Ｘになることが好ましい。
【００１２】
さらに、保護フィルム５の第二の押さえ代５ａの終点Ｙが辺部１１の中央部Ｚまでの間に配置されていると、より大型ペリクルＡの取り出しやすさに関して効果を奏する。ここに、第二の押さえ代５ａの終点Ｙは、図２（ｅ）に示すように、四隅の頂点Ｃを基点として辺の中央部Ｚに向かう方向に沿って、押さえ代５ａが終わる境界で表される。換言すると、矩形の枠体の辺の中央付近に第二の押さえ代が存在しないことがより好ましい。これは、発明者らが様々な態様で試行錯誤した結果、第二の押さえ代５ａが、辺部１１の中央付近に位置する場合と、位置しない場合とでは、効果が異なるという知見を得たことに基づく。
一方、図４に示すように、辺部１１の中央付近に第二の押さえ代が存在せず、辺部１１の中央付近ではなく四隅と中央付近の間に存在する（例えば頂点から３０ｍｍ以上７０ｍｍ以下離れた箇所）第二の押さえ代５ａを、粘着テープを介して収納容器のトレイの表面に粘着固定している場合を考える。保護フィルム５をトレイに貼着させた状態で保護フィルム５と粘着材の界面から大型ペリクルＡを取り出す際、枠体の辺の四隅付近は中央部付近よりも剛性が高いため、保護フィルム５と粘着材層の界面を剥離させるための力により、剥離が開始される前に、枠体の辺の四隅付近の歪み撓みは生じにくい。このような保護フィルム５として、例えば、図４の長辺及び短辺、図５の長辺、並びに図６の短辺は辺部１１の中央付近に押さえ代が存在しないより好ましい形態例である。
ここで本実施形態に係る保護フィルムは、四辺中少なくとも一辺の押さえ代の終点が始点と辺の中央部までの間に配置されている形態を含むが、四辺全ての押さえ代の終点が始点と辺の中央部までの間に配置されている形態、すなわち、全ての辺において中央付近に押さえ代が存在しない形態（例えば図４示される形態）がより好ましい。大型ペリクル構造体の保持・固定具合及び、大型ペリクル収納構造体からの大型ペリクルの取り外し性について方向依存性が少なくなり、取り扱い性が向上する。
即ち、本発明では、矩形のペリクルの場合、保護フィルムの第一の押さえ代が枠体の形状に沿ったＬ字形状であり、かつ矩形の辺に対して直角または鈍角に突出している場合にはペリクルの取り出しやすさに抗力を示し、第二の押さえ代の始点が頂点以外にあり、特に、頂点近傍（頂点から３０ｍｍ以上７０ｍｍ以下）にある場合には、保持・固定に効力を示すので最も好ましい。
【００１３】
本発明で用いる枠体の材質、ペリクル膜の材質は、従来一般的に用いられているものを使用することができる。例えば、枠体の材質については、アルミニウムやその合金、例えばジュラルミン、或いは、鉄や鉄系合金、例えばステンレスといったペリクルに用いられる物であれば構わないが、大型化による自重の増加を考慮すれば、軽量で、かつ、剛性を有するものを用いることが好ましく、例えば、アルミニウムやその合金が好ましい。
【００１４】
次に、大型ペリクル構造体を収納容器へ収納して大型ペリクル収納構造体を得る方法、及び、該大型ペリクル収納構造体から大型ペリクルを取り出す方法について、図を参照して説明する。
図１及び図２（ａ）及び（ｂ）においては、大型ペリクルＡは、既に詳述したようにペリクル膜３の面積が１００００ｃｍ２以上、特に１５０００ｃｍ２以上の大型ペリクルであり、枠体１と、枠体１の上縁面に接着剤層２を会して接着されたペリクル膜３と、枠体１の下縁面に塗着された粘着材層４と、粘着材層４を保護するために粘着材層４に粘着された保護フィルム５から構成されている。
上述の態様においては、枠体１の下縁面に粘着材４を塗着したが、予め粘着材４と保護フィルム５が層状に形成された層状粘着材を使用する場合には、単に枠体１の下縁面に該層状粘着材を積層して粘着するのみでよい。しかし、本明細書においては、このような場合も含めて単に「塗着する」と称する。次に、前述のように構成された大型ペリクルＡは、トレイ６と蓋７とからなる収納容器Ｂに収納されている。蓋７とトレイ６との嵌合面は全周にわたり、テープ８でシールするか、または、トレイ６と蓋７とのコーナー部にクリップを取り付けることで固定してもよい。
大型ペリクルＡの保護フィルム５の外周縁の外側には粘着テープ９によってトレイ６の表面に粘着固定される第一の押さえ代５ｂが突設されている。この押さえ代５ｂの寸法は、本発明者等が種々の実験を重ねた結果、長さＬが２０ｍｍ以上でであることが好ましく、さらに、図２（ｃ）で示す幅ｗが６ｍｍ以上であることが好ましく、１０ｍｍ以上であることがより好ましいことが明らかになった。このような寸法を持った押さえ代５ｂは粘着テープ９を介してトレイ６の表面に安定した状態で容易に粘着固定することができた。
また、大型ペリクルＡの保護フィルム５の外周縁の外側には粘着テープ９によってトレイ６の表面に粘着固定される第二の押さえ代５ａが突設されている。この押さえ代５ａの寸法は、本発明者等が種々の実験を重ねた結果、長さＬ＝２０〜６０ｍｍで、さらに、図２（ｂ）で示す幅ｗが６ｍｍ以上であることが好ましく、１０ｍｍ以上であることがより好ましいことが明らかになった。このような寸法を持った押さえ代５ａは粘着テープ９を介してトレイ６の表面に安定した状態で容易に粘着固定することができた。
【００１５】
本発明の大型ペリクル構造体及び大型ペリクル収納構造体を実施するに当っては、前述の図１及び図２に示すごとく、収納容器Ｂのトレイ６の中央部に大型ペリクル構造体を搭載し、かつ、大型ペリクル構造体の枠体１の外方に突出している保護フィルム５の押さえ代５ａ、５ｂを、所定の巾の粘着テープ９を用いてトレイ６の表面に粘着することによって、極めて安定した状態で簡単かつ確実に保持固定することができる。ここに、粘着テープの巾は、５ｍｍ以上が好ましく、より好ましくは１０ｍｍ以上である。
上述した態様の大型ペリクル収納構造体においては、大型ペリクルＡの枠体１の外方に突出する保護フィルム５の柔軟性を有する押さえ代５ａ，５ｂを、柔軟性に富む粘着テープ９を介して収納容器Ｂのトレイ６の表面に粘着固定するので、仮に、収納容器Ｂのトレイ６の成形精度が十分でなく、或いは、トレイ６に反りが生じていても、これらの問題に関係なく、大型ペリクル構造体をトレイ６に安定した状態で簡単に固定することができる。
尚、粘着テープ９は押さえ代５ａ、５ｂ全面を覆うように貼着されることが好ましいが、粘着固定の効果が得られるなら、押さえ代５ａの幅方向あるいは長さ方向に対し部分的に覆う態様でもよい。
大型ペリクルＡの第１の取り出し方法は、特許文献２に記載の方法、つまり、粘着材層と保護フィルムとの界面で剥離させる方法である。保護フィルムは、トレイに固定されたままとなるので、後で必要に応じてトレイから除去する。
本発明に用いられる保護フィルム５の材質としては、好ましくは、ポリエチレンテレフタレート樹脂、ポリエチレン樹脂等が使用される。また、保護フィルムの厚みとしては、好ましくは３０μｍ〜５００μｍのものが使用される。
本発明に用いられる収納容器Ｂの材質は、ポリエチレンテレフタレート樹脂や、アクリロニトリルブタジエンスチレン樹脂、アクリル樹脂、ポリカーボネート樹脂、ポリ塩化ビニル樹脂等の樹脂が使用できる。また、帯電防止タイプの樹脂を用いてもよい。さらに、アルミニウムやその合金、例えばジュラルミン、または鉄やその合金、例えばステンレス等のペリクル収納容器に用いられているものであれば金属材料も使用できる。これら金属材料を用いた収納容器の場合は、塗装等の表面処理されたものであってもかまわない。特に、アウトガスの発生量が少ないものを使用することが好ましい。
また、本発明に用いられる粘着テープ９の基材としては、例えば、ポリエチレン、ポリプロピレン、ポリエチレンテレフタレート、ポリ塩化ビニルや不織布などが使用できる。また、粘着テープの糊としては、例えば、アクリル系のものやポリビニルアルコール等を使用することができる。さらに、粘着テープ９としては、アウトガスの発生量が少ないものが好ましい。また、帯電防止処理を施したものでもよい。
【実施例】
【００１６】
本発明者らは、前述のような構成を有する保護フィルム、本発明の大型ペリクル構造体、及び大型ペリクル収納構造体を用いて実験をした結果、以下に示すような結果が得られた。
【００１７】
[参考例１]
図８（ａ）に示すように辺に対して垂直に突出した形状の第一の押さえ代をもつ保護フィルムのサンプルを作成し、該第一の押さえ代を完全に覆うようにＡＢＳ樹脂製の平板上に幅１５ｍｍの粘着テープで固定して、引き抜き強度を測定した。
【００１８】
［参考例２］
図８（ｂ）に示すように辺に対して鈍角に突出した形状の第一の押さえ代をもつ保護フィルムのサンプルを作成し、該第一の押さえ代を完全に覆うようにＡＢＳ樹脂製の平板上に幅１５ｍｍの粘着テープで固定して、引き抜き強度を測定した。
【００１９】
［参考例３］
図８（ｃ）に示すように辺に対して鋭角に突出した形状の押さえ代をもつ保護フィルムのサンプルを作成し、該押さえ代を完全に覆うように同様にＡＢＳ樹脂製の平板上に幅１５ｍｍの粘着テープで固定して、引き抜き強度を測定した。
以下表１に参考例１−３の引き抜き強度の測定結果を示す。引き抜き強度測定は、島津製作所製オートグラフＡＧ−５０００Ｂを用いて０．５ｍｍ／ｍｉｎの速度で図中矢印方向への引き抜きながら測定した。
【００２０】
【表１】
2014167627.tif 000003
【００２１】
［実施例１］
外形寸法が１３９２ｍｍ×１１７７ｍｍの矩形で、幅１２ｍｍのアルミニウム合金製の枠体の、上縁面にセルロースからなるペリクル膜を接着し、下縁面に粘着材を塗布した大型ペリクルを準備した。
上記枠体と同じ外形寸法であり、該枠体の四隅に幅１０ｍｍ×長さ４０ｍｍのＬ字形状で辺に対して垂直に突出させた第一の押さえ代を有し、枠体の各辺の四隅から６０ｍｍの位置を始点として、寸法が幅１０ｍｍ×長さ４５０ｍｍの矩形で辺に対し垂直に突出させた第二の押さえ代を２箇所ずつ（4辺あわせて８箇所）設けた保護フィルム５（図４（ａ）に類似する形状）を準備して、上記大型ペリクルの粘着材層に貼り付けて、大型ペリクル構造体を得た。
上記大型ペリクル構造体を、ＡＢＳ樹脂材で真空成形された収納容器Ｂのトレイ６の上に搭載し、前記押さえ代５ａと５ｂを粘着テープ９（テープサイズ：長辺１５ｍｍ×９４０ｍｍ、短辺１５ｍｍ×７９０ｍｍ、四隅１５ｍｍ×６０ｍｍ）を介してトレイ６に粘着固定した後で、該トレイ６上に蓋７を被蓋し大型ペリクル収納構造体を得た。さらに、トレイ６と蓋７との外周部にテープ８を取り付けて両者を固定した。
【００２２】
[実施例２]
外形寸法が１３９２ｍｍ×１１７７ｍｍであり、両四隅から６０ｍｍの位置を始点として、寸法がＷ１０ｍｍ×Ｌ４５０ｍｍの押さえ代５ｂを２箇所にし、保護フィルム５の四隅の頂点にＬ字形状の第一の押さえ代５ａを頂点からＷ１０ｍｍ×Ｌ４０ｍｍの辺に対して１２０°に突出させた保護フィルム５（例えば図４（ｂ）に類似する形状）を粘着させた大型ペリクルＡを、ＡＢＳ樹脂材で真空成形された収納容器Ｂのトレイ６の上に搭載し、前記押さえ代５ａと５ｂを粘着テープ９（テープサイズ：長辺１５ｍｍ×９４０ｍｍ、短辺１５ｍｍ×７９０ｍｍ、四隅１５ｍｍ×６０ｍｍ）を介してトレイ６に粘着固定した後で、該トレイ６上に蓋７を被蓋し、これらのトレイ６と蓋７との外周部にテープ８を取り付けて両者を固定した。
【００２３】
［比較例１］
外形寸法が１３９２ｍｍ×１１７７ｍｍであり、両四隅から６０ｍｍの位置を始点として、寸法がＷ１０ｍｍ×Ｌ４５０ｍｍの押さえ代５ｂを２箇所にし、保護フィルム５の四隅の頂点に第一の押さえ代５ａ（Ｗ１０ｍｍ×Ｌ２０ｍｍ）を突出させた保護フィルム５（例えば図４に類似する形状で第一の押さえ代５ａが図８（ｃ）に類似する構造）を粘着させた大型ペリクルＡを、ＡＢＳ樹脂材で真空成形された収納容器Ｂのトレイ６の上に搭載し、前記押さえ代５ａと５ｂを粘着テープ９（テープサイズ：長辺１５ｍｍ×９４０ｍｍ、短辺１５ｍｍ×７９０ｍｍ、四隅１５ｍｍ×６０ｍｍ）を介してトレイ６に粘着固定した後で、該トレイ６上に蓋７を被蓋し、これらのトレイ６と蓋７との外周部にテープ８を取り付けて両者を固定した。
以下の表２に上記実施例と、比較例についての評価結果を示す。取り出し試験では、レーザーテック株式会社製のペリクル検査・貼り付けシステム（製品名：５１ＰＡ）を用いた。取り出し易さでは、第一の押さえ代５ｂが粘着テープから抜け落ちることなく、取り出し動作開始から３秒未満に保護フィルムと粘着材の界面が剥がれ始め、その後、剥がれが進行する場合を「○」、取り出しの際、第一の押さえ代５ａがずれたり脱落してしまい実用上問題である場合を「×」で示す。
【００２４】
【表２】
2014167627.tif 000004
【符号の説明】
【００２５】
Ａ  大型ペリクル
Ｂ  収納容器
１  枠体
２  接着剤層
３  ペリクル膜
４  粘着材層
５  保護フィルム
５ａ  第二の押さえ代
５ｂ  第一の押さえ代
６  トレイ
７  蓋
８  テープ
９  粘着テープ
１０  剥がし代
１１  辺部
Ｘ  始点
Ｙ  終点
Ｚ  辺の中央部
Ｗ  押さえ代の幅
Ｌ  押さえ代の長さ
Ｃ  四隅の頂点
【図１】
2014167627.tif 000005
【図２−１】
2014167627.tif 000006
【図２−２】
2014167627.tif 000007
【図３】
2014167627.tif 000008
【図４】
2014167627.tif 000009
【図５】
2014167627.tif 000010
【図６】
2014167627.tif 000011
【図７】
2014167627.tif 000012
【図８】
2014167627.tif 000013